(57)【要約】      （修正有）【課題】パレットに付着されたブラケットとの締結及び分離が容易でありながらも、締結状態を維持するポストアングルを備えた紙箱。【解決手段】パレット一体型でポストアングル２０を備えた紙箱１１であって、包装物品を地面から一定高さに維持し、Ｌ字形にスチールパレット１２の縁部に締結されたブラケット４０を備えたスチールパレット１２と；一側部に補強ビードを備えたポストアングル２０と；前記ポストアングル２０の間に壁面をなす紙箱１１と；前記紙箱１１の上端部を覆うカバー１０と；を含み、前記スチールパレット１２は、下端部に垂直補強材と水平補強材をさらに含み、前記ポストアングル２０の下端部またはブラケット４０の一側部のいずれか一方に形成された締結孔と、前記ポストアングル２０の下端部またはブラケット４０の一側部の他方に形成された突出部とが締結され、前記突部は、一側部が緩い傾斜部を持ち、他側部が垂直な段差部を持つ。【選択図】図３
2016068951.tif 000002
【特許請求の範囲】
【請求項１】
パレット一体型で紙箱を補強するためのポストアングル２０を備えた紙箱１１において、
包装物品を地面から一定高さに維持し、‘Ｌ’字形にスチールパレット１２の縁部に締結されたブラケット４０を備えたスチールパレット１２と；
前記パレットブラケット４０のコーナーに立設され、一側部に補強ビード２２を備えたポストアングル２０と；
前記ポストアングル２０の間に壁面をなす紙箱１１と；
前記紙箱１１の上端部を覆うカバー１０と；を含み、
前記スチールパレット１２は、剛性補強のために、スチールパレット１２の下端部に垂直補強材１５と水平補強材１６をさらに含み、
前記ポストアングル２０の下端部またはブラケット４０の一側部のいずれか一方に形成された締結孔２５、４７と、前記ポストアングル２０の下端部またはブラケット４０の一側部の他方に形成された突出部２６、４６とが締結され、
前記突部２６、４６は、一側部が緩い傾斜部を持ち、他側部が垂直な段差部を持つことを特徴とする、ポストアングルを備えた紙箱。
【請求項２】
パレット一体型で紙箱を補強するためのポストアングル２０を備えた紙箱１１において、
包装物品を地面から一定高さに維持する硬質パレット１３と；
前記硬質パレット１３の各コーナーに立設され、硬質パレット１３と締結するための締結ホール４５と隔壁を備えたコーナーブラケット４１と；
前記コーナーブラケット４１と締結され、‘Ｌ’字形に、一側部に補強ビード２２を備えたポストアングル２０と；
前記ポストアングル２０の間に壁面をなす紙箱１１と；
前記紙箱１１の上端部を覆うカバー１０と；を含み、
前記硬質パレット１３は、剛性補強のために、硬質パレット１３の下端部に垂直補強材１５と水平補強材１６をさらに含み、
前記ポストアングル２０の下端部またはブラケット４１の一側部のいずれか一方に形成された締結孔２５、４７と前記ポストアングル２０の下端部またはブラケット４１の一側部の他方に形成された突出部２６、４６とが締結されることを特徴とする、ポストアングルを備えた紙箱。
【請求項３】
前記コーナーブラケット４１をもっと補強するために、前記硬質パレット１３の上端縁部に締結されるサイドブラケット４２をさらに含むことを特徴とする、請求項２に記載のポストアングルを備えた紙箱。
【発明の詳細な説明】
【技術分野】
【０００１】
本発明はポストアングルを備えた紙箱に係り、より詳しくは紙箱に堅固性を補強するために、金属材のポストアングルと前記ポストアングルと締結されるブラケットとを備えたパレット一体型紙箱で、紙箱の分離性及び締結性を改善したポストアングルを備えた紙箱に関するものである。
【背景技術】
【０００２】
輸出包装容器は回収が不可能なので安価の紙箱を多く使っているが、運送過程中の破損や収容された貨物の損傷を防止するための堅固性が要求される。
【０００３】
本出願人は前記の問題点を解決しようと紙箱の堅固性を補強するために、パレットに締結されたブラケットと前記ブラケットと締結されて直立する金属材のポストアングルとを創案して特許文献１に開示した。
【０００４】
前記技術は、パレットとの締結性は優れるが、ブラケットとポストアングルの間に紙箱の下部キャップを重畳して締結する構造なので、締結孔を一致させるためには２人以上の作業者が必要であり、運送過程後に紙箱を分離させることも難しい。
【０００５】
また、前記ブラケットとポストアングルを締結するに際して、ネジまたはボルト及びナットの締結の際、ネジのスクリュー部または突出したボルトによって作業者の安全事故及び内容物の破損の問題点が発生した。
【０００６】
したがって、金属材のポストアングルを備えた紙箱において、パレットに付着されたブラケットとの締結及び分離が容易でありながらも堅固な締結状態を維持するポストアングルを備えた紙箱が必要である。
【先行技術文献】
【特許文献】
【０００７】
【特許文献１】大韓民国特許公開第１０−２０１３−００９９２５９号（包装箱用アングル、出願日付：２０１３．０８．２１）
【特許文献２】大韓民国特許登録第１０−０６２２３４４号（組立て式棚装置用棚支持部、登録日付：２００６．０９．０４）
【特許文献３】大韓民国特許登録第１０−０５４７２６８号（パレットと保護台の結合構造、登録日付：２００６．０１．２０）
【特許文献４】大韓民国特許登録第２０−０１７９８４９号（補強材が装着された紙箱、登録日付：２０００．０２．１４）
【特許文献５】大韓民国実用新案登録第２０−０３９８２８９号（包装ボックス用コーナー部材、登録日付：２００５．１０．０５）
【発明の概要】
【発明が解決しようとする課題】
【０００８】
本発明は前記のような問題点を解決するためになされたもので、金属材のポストアングルを備えた紙箱において、パレットに付着されたブラケットとの締結及び分離が容易でありながらも、堅固な締結状態を維持するポストアングルを備えた紙箱を提供することをその目的とする。
【課題を解決するための手段】
【０００９】
前記目的を達成するために、本発明は、パレット一体型で紙箱を補強するためのポストアングルを備えた紙箱であって、包装物品を地面から一定高さに維持し、‘Ｌ’字形にスチールパレットの縁部に締結されたブラケットを備えたスチールパレットと；前記パレットブラケットのコーナーに立設され、一側部に補強ビードを備えたポストアングルと；前記ポストアングルの間に壁面をなす紙箱と；前記紙箱の上端部を覆うカバーと；を含み、前記スチールパレットは、剛性補強のために、スチールパレットの下端部に垂直補強材と水平補強材をさらに含み、前記ポストアングルの下端部またはブラケットの一側部のいずれか一方に形成された締結孔と前記ポストアングルの下端部またはブラケットの一側部の他方に形成された突出部とが締結され、前記突部は、一側部が緩い傾斜部を持ち、他側部が垂直な段差部を持つことを特徴とする、ポストアングルを備えた紙箱を提供する。
【００１０】
また、前記目的を達成するために、本発明は、パレット一体型で紙箱を補強するためのポストアングルを備えた紙箱であって、包装物品を地面から一定高さに維持する硬質パレットと；前記硬質パレットの各コーナーに立設され、硬質パレットと締結するための締結ホールと隔壁を備えたコーナーブラケットと；前記コーナーブラケットと締結され、‘Ｌ’字形に、一側部に補強ビードを備えたポストアングルと；前記ポストアングルの間に壁面をなす紙箱と；前記紙箱の上端部を覆うカバーと；を含み、前記硬質パレットは、剛性補強のために、硬質パレットの下端部に垂直補強材と水平補強材をさらに含み、前記ポストアングルの下端部またはブラケットの一側部のいずれか一方に形成された締結孔と前記ポストアングルの下端部またはブラケットの一側部の他方に形成された突出部とが締結されることを特徴とする、ポストアングルを備えた紙箱を提供する。
【００１１】
前記コーナーブラケットをもっと補強するために、前記硬質パレットの上端縁部に締結されるサイドブラケットをさらに含むことができる。
【発明の効果】
【００１２】
前記のような解決手段によって本発明は下記のような効果を持つ。
【００１３】
一つ目、ポストアングルまたはブラケットの一側部にエンボス処理した後、一部を切断して緩い傾斜部及び垂直な段差部を備えた突出部と締結孔の構成によって紙箱の組立て及び分離が容易であって、従来技術に比べ、組立て及び分離時間が２倍以上短縮され、作業者ひとりでも易しく組み立てることができる。
【００１４】
二つ目、ポストアングルと組み立てられる段ボールの弾性と紙箱に収容される包装貨物の圧力によって、ポストアングルとブラケットの締結性は従来技術と同等な水準を維持する。
【００１５】
三つ目、外部に突出する部分がないので、作業者の安全事故及び包装貨物の損傷などの２次被害が根本的に遮断される。
【００１６】
四つ目、構造が簡単で、組立て工程が簡素化して、包装箱のコスト低減の更なる効果を持つ。
【図面の簡単な説明】
【００１７】
【図１】ポストアングルとブラケットの締結方法に対する従来技術と本発明の比較図である。
【図２】ポストアングルとブラケットの締結構造に対する従来技術と本発明の比較図である。
【図３】本発明の好適な一実施例を示すもので、スチールパレット一体型紙箱の斜視図である。
【図４】本発明の好適な一実施例を示すもので、硬質パレット一体型紙箱の斜視図である。
【図５】硬質パレット一体型コーナーブラケット及びサイドブラケットの一実施例を示す斜視図である。
【図６】コーナーブラケット及びポストアングルの詳細図である。
【図７】スチールパレット一体型のブラケット及びポストアングルの詳細図である。
【図８】スチールパレットの斜視図である。
【図９】補強部材を備えたスチールパレットの底面図である。
【図１０】量産化した製品の写真である。
【発明を実施するための形態】
【００１８】
以下、添付図面に基づいて本発明の実施例について本発明が属する技術分野で通常の知識を持った者が容易に実施することができるように詳細に説明する。しかし、本発明はいろいろの相異なる形態に具現できる、ここで説明する実施例に限定されない。
【００１９】
本発明を明瞭に説明するために、説明と関係ない部分（積層パレット、締結部など）は省略し、明細書全般にわたって同一ないし類似の構成要素に対しては同一参照符号を付ける。
【００２０】
また、図面に示した各構成の大きさ及び厚さは説明の便宜上任意に示したので、本発明が必ず図面に示したものに限定されない。図面においては、多くの部分及び領域を明瞭に表現するために厚さを拡大して示した。そして、図面において、説明の便宜上、一部及び領域の厚さを誇張して示した。
【００２１】
本発明はポストアングルを備えた紙箱に係り、より詳しくは紙箱に堅固性を補強するためになされたものであり、金属材のポストアングルと前記ポストアングルと締結されるブラケットとを備えたパレット一体型紙箱であり、紙箱の組立て及び分離が易しく、締結状態を維持するポストアングルを備えた紙箱に関するものである。
【００２２】
輸出包装用ボックスは回収が不可能であるため、安価の紙箱や合成樹脂箱を多く用いるが、材質が堅固ではないため、運送中に破損して内容物も一緒に損傷する問題が発生する。
【００２３】
本発明は前記問題点を改善しようとなされたもので、紙箱１１のコーナー部に金属材のポストアングル２０を立設し、前記ポストアングル２０と締結されるとともにパレットと締結することができるブラケット４０、４１、４２を備えた紙箱を提供することが本発明の目的である。
【００２４】
図１及び図２はポストアングル２０とブラケット４０の締結方法及び詳細に対する従来技術と本発明の比較図である。
【００２５】
本出願人は、紙箱の堅固性を補強するために、パレットに締結されたブラケットと前記ブラケットと締結されて直立する金属材のポストアングルとを創案し、先出願の大韓民国特許公開第１０−２０１３−００９９２５９号（出願日付：２０１３．０８．２１）を開示した。
【００２６】
前記技術はパレットとの締結性には優れるが、ブラケットとポストアングルの間に紙箱の下部キャップを重畳して締結する構造であるが、締結孔を一致させるためには２人以上の作業者が必要であり、紙箱を分離する過程でも同様な問題点が発生した。
【００２７】
また、前記ブラケット４０とポストアングル２０を締結するに際して、ネジまたはボルト及びナットの締結の際、ネジのスクリュー部または突出したボルトによって作業者の安全事故を引き起こすだけでなく手荷物を損傷させる問題点が発生した。
【００２８】
したがって、本発明は、金属材のポストアングル２０を備えた紙箱において、パレット１２に付着されたブラケット４０との締結及び分離が容易でありながらも、堅固な締結状態を維持するポストアングルを備えた紙箱を提供しようとする。
【００２９】
前記目的を達成するために、図１に示すように、紙箱の下端キャップ１５をポストアングル２０とブラケット４０の間に締結する従来技術を改善し、ブラケット４０とポストアングル２０が直ちに締結される構造を創案した。
【００３０】
ポストアングル２０とパレット１２を締結する方法は、一つ目、大韓民国特許登録第１０−０５４７２６８号に開示したように、パレットの底面にアングル形状と型合する結合孔を形成する方法があり、二つ目、大韓民国特許登録第１０−０６２２３４４号に開示したように、フッククリップ及び孔を用いる方法などがある。
【００３１】
本発明においては、締結性及び分離性を向上させるために、図２に示したように、ポストアングル２０またはブラケットの一側部にエンボス処理した後、一部を切断して段差部を備えた突出部２６、４６を形成し、前記突出部２６、４６と締結可能な締結孔２５、４７を含むことを特徴とする。
【００３２】
前記のような構成によって紙箱の組立て及び分離が簡素化し、ポストアングル２０と組み立てられる段ボールの弾性と紙箱１１に収容される包装貨物の圧力によって締結性も従来技術と同等な水準に維持する利点を持つ。
【００３３】
前記のような構成によって、従来技術に比べ、組立て時間は２倍以上短縮される効果を持ち、作業者一人でも易しく組み立てることができる利点がある。
【００３４】
図３は本発明の好適な一実施例を示すもので、スチールパレット一体型紙箱の斜視図であり、図７はスチールパレット１２一体型のブラケット４０及びポストアングル２０の詳細図であり、図８はスチールパレット１２の斜視図であり、図９は補強部材を備えたスチールパレット１２の底面図であり、図１０は量産化した製品の写真である。
【００３５】
図３に示したように、本発明は、パレット一体型で紙箱を補強するためのポストアングル２０を備えた紙箱１１において、包装物品を地面から一定高さを維持し、‘Ｌ’字形にスチールパレット１２の縁部に締結されたブラケット４０を備えたスチールパレット１２と；前記パレットブラケット４０のコーナーに直立し、一側部に補強ビード２２を備えたポストアングル２０と；前記ポストアングル２０の間に壁面をなす紙箱１１と；前記紙箱１１の上端部を覆うカバー１０と；を含み、前記ポストアングル２０の下端部またはブラケット４０の一側部のいずれか一方に形成された締結孔２５、４７と、前記ポストアングル２０の下端部またはブラケット４０の一側部の他方に形成された突出部２６、４６と締結されることを特徴とする。
【００３６】
図８に示したように、前記ブラケット４０は、スチールパレット１２の上端縁部に付着されることが好ましく、スチールパレット１２と一体型に構成されることが好ましい。
【００３７】
図７に示したように、前記突部２６、４６は、一側部が緩い傾斜部を持ち、他側部が垂直な段差部を持つことを特徴とする。
【００３８】
前記傾斜部と垂直な段差部を備えた突出部はブラケットの締結性を向上させるだけでなく、段ボールの弾性力によって維持されるので、作業者の小さな外力でもポストアングル２０の設置及び分離が簡単な利点を持つ。
【００３９】
図７Ａは突出部４６を備えたブラケット４０とビード部２２の下端部に形成された締結孔２５を備えたポストアングル２０の締結状態図であり、図７Ｂは図７Ａと反対の場合で、締結孔４７を備えたブラケット４０と突出部２６を備えたポストアングル２０の締結状態図である。
【００４０】
前記スチールパレット１２は堅固性及び軽量化を満たすために、凸部と凹部が交互に繰り返し形成された矩形波形に形成された上板、下板及び角部からなることが好ましい。
【００４１】
また、上板と下板が滑ることを防止する突出エンボスをもっと備えることもできる。
【００４２】
現在商用化して通用されるスチールパレット１２（大韓民国特許登録第１０−０７８７１８０号（登録日付：２００７．１２．１２））は製品を積載した状態でコンベヤーで運送する場合には、パレットそのものが変形するとか破損するとかする場合がたまに発生する。
【００４３】
したがって、本発明では、前記の問題点を解決するために、図９に示したように、前記スチールパレット１２が、剛性補強のために、スチールパレット１２の下端部に垂直補強材１５と水平補強材１６をさらに含むことを特徴とする。
【００４４】
前記垂直補強材１５と水平補強材１６は中空または中実のもので、金属材のスチールバーが好ましい。
【００４５】
前記垂直補強材１５と水平補強材１６は、運送手段と積載貨物によって変更されるので、特性の位置を指定することはできないが、スチールパレット１２の屈曲形状と型合してパレットを補強する補強部材は本発明の範疇に含まれるものが好ましい。
【００４６】
前記垂直補強材１５と水平補強材１６は、運送手段との密着力を高めるために、一側部に滑り防止部材をさらに含むこともできる。
【００４７】
図４は本発明の好適な一実施例を示すもので、硬質パレット一体型紙箱の斜視図であり、図５は硬質パレット一体型コーナーブラケット４２とサイドブラケット４３の一実施例を示す斜視図であり、図６はコーナーブラケット４１とポストアングル２０の詳細図である。
【００４８】
図４に示したように、木材のパレットまたは合成樹脂材のパレットを使う場合、パレット一体型で紙箱を補強するためのポストアングル２０を備えた紙箱１１において、包装物品を地面から一定高さに維持する硬質パレット１３と；前記硬質パレット１３の各コーナーに立設され、硬質パレット１３と締結するための締結ホール４５と隔壁を備えたコーナーブラケット４１と；前記コーナーブラケット４１と締結され、‘Ｌ’字形に、一側部に補強ビード２２を備えたポストアングル２０と；前記ポストアングル２０の間に壁面をなす紙箱１１と；前記紙箱１１の上端部を覆うカバー１０と；を含み、前記ポストアングル２０の下端部またはブラケット４１の一側部のいずれか一方に形成された締結孔２５、４７と、前記ポストアングル２０の下端部またはブラケット４１の一側部の他方に形成された突出部２６、４６とが締結されることを特徴とする。
【００４９】
前記硬質パレット１３はパレットのみとして使う目的で製造されたもので、木材または合成樹脂材を含むことが好ましい。
【００５０】
図５は硬質パレット一体型コーナーブラケット４２とサイドブラケット４３の一実施例を示す斜視図である。図５及び図６は紙箱を除去した状態であり、コーナーブラケット４１、サイドブラケット４２及びポストアングル２０の締結状態を示したものである。
【００５１】
図５Ａは硬質パレット１３を使う場合のコーナーブラケット４１とポストアングル２０の締結状態図であり、図５Ｂは、前記コーナーブラケット４１をもっと補強するために、前記硬質パレット１３の上端縁部に締結されるサイドブラケット４２をさらに含むものを示す。
【００５２】
図６はコーナーブラケット４１とポストアングル２０の詳細図である。
【００５３】
前記コーナーブラケット４１は‘Ｌ’字形に形成され、状硬質パレット１３と紙箱１１の間を区分する隔壁を持ち、多数の締結ホール４５を備えている。
【００５４】
前記締結ホール４５は硬質パレット１３との締結のためのもので、くぎやネジによって締結されることが好ましい。
【００５５】
前記コーナーブラケット４１は、ポストアングル２０との締結のために、締結孔４７または突出部４６のいずれか一方を形成することが好ましい。
【００５６】
前記ポストアングル２０は‘Ｌ’形鋼からなり、パレットコーナー部に立設されることが好ましい。また、一側部に補強ビード２２が形成されている。
【００５７】
前記ポストアングル２０の一側部は、紙箱１１を締結するための折曲締結部２４を備え、他端部にはブラケット４０、４１と締結するための締結孔２５または突出部２６のいずれか一方が形成されることが好ましい。
【００５８】
図１に示したように、本発明は、前記紙箱１１の上端部を覆うカバー１０をさらに含む。
【産業上の利用可能性】
【００５９】
本発明は、パレットに付着されたブラケットとの締結及び分離が容易でありながらも、堅固な締結状態を維持するポストアングルを備えた紙箱に適用可能である。
【符号の説明】
【００６０】
１０    カバー
１１    紙箱
１２    スチールパレット
１３    硬質パレット
１５    垂直補強材
１６    水平補強材
２０    ポストアングル
２２    補強ビード
２４    締結部
２５    締結孔
２６    突出部
４０    パレットブラケット
４１    コーナーブラケット
４２    サイドブラケット
４５    締結ホール
４６    突出部
４７    締結孔
【図１】
2016068951.tif 000003
【図２】
2016068951.tif 000004
【図３】
2016068951.tif 000005
【図４】
2016068951.tif 000006
【図５】
2016068951.tif 000007
【図６】
2016068951.tif 000008
【図７】
2016068951.tif 000009
【図８】
2016068951.tif 000010
【図９】
2016068951.tif 000011
【図１０】
2016068951.tif 000012
【手続補正書】
【提出日】平成28年1月20日(2016.1.20)
【手続補正１】
【補正対象書類名】特許請求の範囲
【補正対象項目名】全文
【補正方法】変更
【補正の内容】
【特許請求の範囲】
【請求項１】
パレット一体型で紙箱を補強するためのポストアングル（２０）を備えた紙箱（１１）において、
包装物品を地面から一定高さに維持し、‘Ｌ’字形にスチールパレット（１２）の縁部に締結されたブラケット（４０）を備えたスチールパレット（１２）と；
前記パレットブラケット（４０）のコーナーに立設され、一側部に補強ビード（２２）を備えたポストアングル（２０）と；
前記ポストアングル（２０）の間に壁面をなす紙箱（１１）と；
前記紙箱（１１）の上端部を覆うカバー（１０）と；を含み、
前記スチールパレット（１２）は、剛性補強のために、スチールパレット（１２）の下端部に補強材（１５、１６）をさらに含み、
前記ポストアングル（２０）の下端部またはブラケット（４０）の一側部のいずれか一方に形成された嵌合孔（２５、４７）に、前記ポストアングル（２０）の下端部またはブラケット（４０）の一側部の他方に形成された突出部（２６、４６）が嵌合し、
前記突出部（２６、４６）は、一側部が緩い傾斜部を持ち、他側部が垂直な段差部を持つことを特徴とする、ポストアングルを備えた紙箱。
【請求項２】
パレット一体型で紙箱を補強するためのポストアングル（２０）を備えた紙箱（１１）において、
包装物品を地面から一定高さに維持する硬質パレット（１３）と；
前記硬質パレット（１３）の各コーナーに立設され、硬質パレット（１３）と締結するための締結ホール（４５）と隔壁を備えたコーナーブラケット（４１）と；
前記コーナーブラケット（４１）と締結され、‘Ｌ’字形に、一側部に補強ビード（２２）を備えたポストアングル（２０）と；
前記ポストアングル（２０）の間に壁面をなす紙箱（１１）と；
前記紙箱（１１）の上端部を覆うカバー（１０）と；を含み、
前記硬質パレット（１３）は、剛性補強のために、硬質パレット（１３）の下端部に補強材（１５、１６）をさらに含み、
前記ポストアングル（２０）の下端部またはブラケット（４１）の一側部のいずれか一方に形成された嵌合孔（２５、４７）に、前記ポストアングル（２０）の下端部またはブラケット（４１）の一側部の他方に形成された突出部（２６、４６）が嵌合することを特徴とする、ポストアングルを備えた紙箱。
【請求項３】
前記コーナーブラケット（４１）をもっと補強するために、前記硬質パレット（１３）の上端縁部に締結されるサイドブラケット（４２）をさらに含むことを特徴とする、請求項２に記載のポストアングルを備えた紙箱。